(57)【要約】【課題】  イオン化システムが正及び負の電源を有する、パルスモードイオン化システムのためのオフセット電圧制御方法が提供される。【解決手段】  正及び負の電源の出力のデューティーサイクル及びオーバーラップは制御され、所望のオフセット電圧を達成するオーバーラップが決定される。オフセット電圧及び対応するオーバーラップがメモリ内に記憶される。正及び負の電源の出力のデューティーサイクル及びオーバーラップは、記憶されたオフセット電圧の比較に基づいて所望のオフセット電圧を達成するように制御される。【選択図】      図１０
2004273418.tif 000002
【特許請求の範囲】
【請求項１】
正のイオンを生成するべく構成された少なくとも１つの正イオン発生電極が連結されている出力端をもつ正の高圧電源、
負のイオンを生成するべく構成された少なくとも１つの負イオン発生電極が連結されている出力端をもつ負の高圧電源、及び
ゼロを上回る選択された時間量だけ正及び負の高圧電源の出力をオーバーラップさせることによって所望のオフセット電圧を達成するべく正及び負の高圧電源の出力のデューティーサイクルを制御するように構成されたコントローラ、
を有して成る双極性イオン化装置。
【請求項２】
正及び負の高圧電源の出力の制御が、ユーザーが所望する出力波の形状を得るべくパルス時間幅変調を用いて修正される、請求項１に記載の双極性イオン化装置。
【請求項３】
各電源の付随する電流振幅が固定されている場合に、前記オーバーラップが方形波という結果をもたらす、請求項１に記載の双極性イオン化装置。
【請求項４】
各振幅が変動する場合に、前記オーバーラップが正弦波、方形波、のこぎり波及びクリップ波のうちの１つを結果としてもたらす、請求項１に記載の双極性イオン化装置。
【請求項５】
前記所望のオフセット電圧がユーザーによって調整可能である、請求項１に記載の双極性イオン化装置。
【請求項６】
正のイオンを生成するべく構成された少なくとも１つの正イオン発生電極が連結されている可変出力端をもつ正の高圧電源、
負のイオンを生成するべく構成された少なくとも１つの負イオン発生電極が連結されている可変出力端をもつ負の高圧電源、及び
正及び負の両方のイオンを連続的に出力しながら、まず予め定められた時間正の設定値に、そして次にもう１つの予め定められた時間負の設定値に交互に制御するべく、正及び負の高圧電源の出力を変動させることによって所望のオフセット電圧を達成するように、正及び負の高圧電源の出力を連続的に制御するように構成されたコントローラ、
を有して成る双極性イオン化装置。
【請求項７】
イオンを生成するための少なくとも１つのイオン発生電極が連結されているそれぞれの出力端を各々有している正及び負の高圧電源をそなえるイオン化システムのオフセット電圧を制御する方法であって、
ゼロを上回る選択された時間量だけ正及び負の高圧電源の出力をオーバーラップさせることによって所望のオフセット電圧を達成するように、正及び負の高圧電源の出力のデューティーサイクルを制御する段階、
を有して成る方法。
【請求項８】
前記デューティーサイクルが、ユーザーが所望する出力波の形状を達成するべくパルス時間幅変調を用いて修正される、請求項７に記載の方法。
【請求項９】
各電源の付随する電流振幅が固定されている場合に、前記オーバーラップが方形波という結果をもたらす、請求項７に記載の方法。
【請求項１０】
各振幅が可変的である場合に、前記オーバーラップが正弦波、方形波、のこぎり波及びクリップ波のうちの１つを結果としてもたらす、請求項７に記載の方法。
【請求項１１】
特定のオフセット電圧を達成する、前記の正及び負の高圧電源の各出力の特定のオーバーラップを決定する段階、
メモリ内に前記特定のオフセット電圧及び対応する特定のオーバーラップを記憶する段階、及び
前記所望のオフセット電圧が前記の記憶されたオフセット電圧にほぼ等しい場合、前記の記憶されたオフセット電圧及び前記の記憶された対応するオーバーラップに基づいて前記デューティーサイクル及び前記オーバーラップを制御する段階、
をさらに有して成る、請求項７に記載の方法。
【請求項１２】
イオナイザをとり囲む領域内の実際の電圧電位を測定する段階、
前記所望のオフセット電圧と前記の実際の電圧電位を比較する段階、及び
前記所望のオフセット電圧に対する前記の実際の電圧電位の比較を使用するアルゴリズムに基づいて前記オーバーラップを制御する段階、
をさらに有して成る、請求項７に記載の方法。
【発明の詳細な説明】
【技術分野】
【０００１】
本発明は、一般に、双極性イオン化システムを制御する方法、より特定的には、双極性パルスモードイオン化システムのためのオフセット電圧制御方法に関する。
【背景技術】
【０００２】
（関連出願に対するクロスリファレンス）
本願は、「双極性イオン化システムのためのオフセット電圧制御方法」と題する、２００２年９月２０日に出願された米国仮出願６０／４１２，２３７の利益を享受する。
【０００３】
空気イオン化は、非導電性材料及びアイソレートされた導体上の静電気を除去する最も効果的な方法である。エアイオナイザは、空気中の電荷の可動担体として役立つ周囲雰囲気内の正及び負のイオンを大量に生成する。イオンが空気中を流れるにつれて、これらは、反対に荷電された粒子及び表面へと引きつけられる。静電的に荷電された表面の中和は、このプロセスを通して急速に達成可能である。
【０００４】
空気イオン化は、コロナ放電として知られているプロセスの中でイオンを生成する電気的イオナイザを用いて実施される。電気的イオナイザは、周囲の空気の誘電耐力を克服するまで、鋭い端のまわりの電界を強化することによってこのプロセスを通して空気イオンを生成する。負のコロナは、電子が電極から周囲空気内に流れるときに発生する。正のコロナは、空気分子から電極への電子の流れの結果として発生する。
【０００５】
一定の与えられた出力のイオナイザから静電荷を最大限減少させるためには、イオナイザは、等量の正及び負イオンを生み出さなくてはならない。すなわち、イオナイザの出力は「平衡化」されなくてはならない。イオナイザが平衡を失なった場合、アイソレートされた導体及び絶縁体は、荷電状態となり得、かくして解決される以上の問題をイオナイザが生み出すことになる。イオナイザは、電源ドリフト、１つの極性の電源故障、電極の汚染、又は電極の劣化に起因して平衡失調状態になる可能性がある。さらに、イオナイザの出力は平衡化され得るものの、全イオン出力が、システムコンポーネントの劣化に起因してその望ましいレベルより低く下降する可能性もある。
【０００６】
作業空間における実際の平衡はイオナイザのセンサーにより検出される平衡とは異なっている可能性があることから、電気的イオナイザの実際の平衡を較正しかつ定期的に測定するために、標準的にチャージプレートモニターが用いられる。チャージプレートモニターは、また静電荷の減衰時間を定期的に測定するためにも使用される。減衰時間が過度に遅いか又は過度に速い場合、イオン出力は、予め設定されたイオン電流値を増減させることによって調整され得る。この調整は標準的に、２つのトリムポテンシオメータ（１つは正イオン生成用、もう１つは負イオン生成用）を調整することによってか又は、イオン電流基準値を表わすソフトウェア内に記憶された値を調整することによって実施される。作業空間内の実際のイオン出力は必ずしもイオナイザ内でセットされたイオン出力電流値についての予想されるイオン出力と同じであるとはかぎらないことから、定期的な減衰時間の測定が必要である。
【０００７】
室内イオン化システムは、標準的に、単一のコントローラに連結された複数の電気的イオナイザを含んでいる。従来の室内イオン化システムは、主コントローラに対し信号線によってディジーチェーン状に連結された複数の天井取付け型エミッタモジュール（「ポッド」と呼ばれる）を内含し得る。
【０００８】
従来、室内システムと組合わせてセンサー又は小型環境イオナイザーバーが、イオン化システム定常状態直流（ＤＣ）動作により生成されるオフセット電圧を制御する目的で使用されている。定常状態のＤＣ動作は、独立した正及び負のピンからの両方の極性のイオン化の恒常的な生成を意味する。この場合、オフセット電圧は、イオン化システムの存在下でアイソレートされた導体上で発生することになる電圧である。イオン化システムのオフセット電圧を決定するために、チャージプレートモニターが使用される。このタイプのアプリケーションのために使用されるセンサーは、オフセット電圧の負のフィードバック制御のために正確にオフセット電圧を測定するように、基本的に無限の入力インピーダンスを有するようにする。代替的には、センサーはイオナイザによって生成された電流をサンプリングする。一般的に、エンドユーザーは、その特定のプロセスを成功させるために重要である或る閾値内にオフセット電圧を制御しようとしている。
【０００９】
一定の与えられた環境内でオフセット電圧を制御することが、増々重要になってきている。数多くの近代的な半導体デバイス／ウェーハ及びディスクドライブヘッド（巨大磁気抵抗ヘッドつまりＧＭＲヘッド）などが、比較的低い電位で静電的放電（ＥＳＤ）を受けやすい。例えば、かかるデバイスは、１００Ｖ前後の電圧によって損傷を受ける可能性があり、従って、５０Ｖ以下への制御が、製品の損失及び機能不良を避けるために有利でありうる。
【００１０】
パルスシステムが、電荷中和速度の尺度である優れた電荷減衰時間を提供し、空気流が乏しいか又は不適切である環境において有用である。しかしながら、大部分の先行技術のパルスシステムは、パルスモード動作の間オフセット電圧を制限しようとしない。その結果、過度のオフセット電圧揺動レベルを生み出すことなく所望の電荷減衰時間を達成するように、パルス時間及び出力レベルを入念に選択しなければならない。図１に示されている１つのこのような先行技術のシステムにおいては、非常に大きいオフセット電圧の揺動を生成することになるために、長いパルス時間を使用することがきわめて困難である。オフセット電圧は、デバイスの損傷が発生しないように、受容可能な限界内に維持されなくてはならない。パルスモードシステム内で生成される好ましくないオフセット電圧揺動は、正及び負のパルスの間中に、１つのイオン化極性しか提供されないようなものである。結果として得られるイオン化ストリームは、アイソレートされた導体上で測定可能なオフセット電圧の揺動を作り出す。この揺動を制限するために、エンドユーザーは、パルスイオン化システムの出力をより低いレベルに調整するか又は、同じ結果を達成するパルス時間を選択することを余儀なくされる。いずれの場合でも、電荷減衰時間はより長くなり、これは望ましくない副次的悪影響である。
【００１１】
図２は、いくつかの先行技術のシステムが、オフセット電圧の揺動を制限するために交番極性のパルス間で「オフタイム」を使用することを示唆していることを示している。実際には、この技術は、いくつかの欠点をもつ。イオン化を提供するために用いられる高圧電源は、一般にそれらに付随する長い時定数を有し、このため急速な電源遮断又はオフ切換えの実現が達成し難いものとなる。「オフタイム」技術では、高圧電源への入力は低減されるものの、出力はイオン化を生成し続け、その結果、なおもオフセット電圧の対応する増大が存在することになる。その上、システムが使用する「オフタイム」の持続時間はまた、「オフタイム」を用いるこのようなシステムの全体的イオン出力をも低減させる。究極的には、イオンを生成するためにイオン化システムが設置され、従ってこれは明らかな欠点である。かくして、図２に描かれている技術は、環境内により低い全体的イオン密度を生み出すという固有の欠点をもつ。
【００１２】
必要とされているものの、先行技術のイオン化システムでは提供されていないのは、なお適切あるいは適切以上である電荷減衰時間を有しながら、パルスモードイオン化にて生成されるオフセット電圧をユーザーが指定する限界内で制御する方法である。さらに、必要とされているものの、先行技術のイオン化システムでは提供されていないのは、正及び負の設定値について交互にセンサーをトラッキングすることによりセンサーと組合せて連続的イオン化システムを制御する方法である。
【発明の開示】
【００１３】
簡単に述べると、本イオン化システムは、正及び負の電源をもつパルスモードイオン化システムのためのオフセット電圧制御方法を含んで成る。この方法は、正及び負の電源の出力のオーバーラップを制御する段階及び所望のオフセット電圧を達成するオーバーラップを決定する段階を含む。該方法はまた、オフセット電圧及び対応するオーバーラップをメモリ内に記憶する段階をも含んでいる。該方法はまた、記憶されたオフセット電圧の比較に基づき所望のオフセット電圧を達成するべく正及び負の電源の出力のデューティーサイクルを制御する段階をも含んでいる。
【００１４】
本発明はまた、正のイオンを生成するべく構成された少なくとも１つの正イオン発生電極が連結されている出力端をもつ正の高圧電源、及び負のイオンを生成するべく構成された少なくとも１つの負イオン発生電極が連結されている出力端をもつ負の高圧電源を含む双極性イオン化装置をも有して成る。該双極性イオン化装置はさらに、ゼロを上回る選択された時間量だけ正及び負の高圧電源の出力をオーバーラップさせることによって所望のオフセット電圧を達成するべく正及び負の高圧電源の出力のデューティーサイクルを制御するように構成されたコントローラをも有する。
【００１５】
以上の要約ならびに以下の本発明の好ましい実施形態の詳細な説明は、添付図面と合わせて読んだ場合に、より良く理解されることだろう。本発明を例示する目的で、図面中には、現在好適とされる実施形態が示されている。しかしながら、本発明が図示されている精確な配置及び手段に制限されるものではないということを理解すべきである。
【発明を実施するための最良の形態】
【００１６】
図面中、全体を通して同じ要素を示すために同じ番号が用いられている。図面を詳細に参照すると、図１０は、本発明に適用できる一般的な双極性又は二重極性イオン化システム１０の概略図を示している。イオン化システム１０は、コントローラ Ｕ１，正のイオンを生成するべく構成された少なくとも１つの正の電極１４が連結された出力端をもつ第１の又は正の高圧電源（Ｐ．ＨＶＰＳ）１２，及び負のイオンを生成するべく構成された少なくとも１つの負の電極１８が連結された出力端をもつ第２の又は負の高圧電源（Ｎ．ＨＶＰＳ）１６を有している。コントローラ Ｕ１は、オン／オフの形でＰ．ＨＶＰＳ１２及びＮ．ＨＶＰＳ１６を交番させるパルスモードか、又はＰ．ＨＶＰＳ１２及びＮ．ＨＶＰＳ１６の入力及び出力のレベルがフィードバック又は調整に基づいて変動させられる連続モードのいずれかで、Ｐ．ＨＶＰＳ１２及びＮ．ＨＶＰＳ１６を制御する。コントローラＵ１は、ゼロを上回る選択された時間量だけ正及び負の高圧電源Ｐ．ＨＶＰＳ１２及びＮ．ＨＶＰＳ１６の出力をオーバーラップさせることにより、所望のオフセット電圧を達成するべく、正及び負の高圧電源Ｐ．ＨＶＰＳ１２及びＮ．ＨＶＰＳ１６の出力を制御するように構成されている。フィードバックは、各々それぞれの電源すなわちＰ．ＨＶＰＳ１２及びＮ．ＨＶＰＳ１６から、又は共通のセンサー２０からの測定された戻り電流の形をとり得る。
【００１７】
先行技術のシステムにおいては、図１のグラフで描かれているように、コントローラ Ｕ１は、わずかしかオーバーラップを伴うことなく又は全くオーバーラップを伴わずに交互に、Ｎ．ＨＶＰＳ１６をオフに保ちながらＰ．ＨＶＰＳ１２をオンにし、その後、Ｐ．ＨＶＰＳ１２をオフに切換えて、Ｎ．ＨＶＰＳ１６をオンにする。図１は、イオン生成対時間及びボルト単位の制御パルスモード（ＣＰＭ）電圧オフセット（Ｖoffset）対時間のグラフである。図１は、ＣＰＭＶoffsetの揺動が比較的大きいものであることを実証している。
【００１８】
図３は、本発明の第１の好ましい実施形態に従った、イオン生成対時間及びボルト単位のＣＰＭＶoffset対時間のグラフである。Ｐ．ＨＶＰＳ１２及びＮ．ＨＶＰＳ１６の出力のオーバーラップを制御することにより、オフセット電圧をユーザー仕様又はユーザー設定値内に維持することができ、電荷（チャージ）減衰時間は改善される。この方法はまた、所望のオフセット電圧を達成するＰ．ＨＶＰＳ１２及びＮ．ＨＶＰＳ１６の出力のオーバーラップを決定する段階、及びメモリ内にオフセット電圧及び対応するオーバーラップを記憶する段階も含んでいる。該方法はさらに、記憶されたオフセット電圧の比較に基づいて所望のオフセット電圧を達成するべくＰ．ＨＶＰＳ１２及びＮ．ＨＶＰＳ１６の出力のデューティーサイクルを制御する段階を含む。
【００１９】
本発明はまた、所望のオフセット電圧に対する実際の電位の比較を使用するアルゴリズムに基づいてオーバーラップを制御する段階も含んでいる。イオン化システム１０をとり囲む領域内の実際の電位は、センサー２０を用いて測定され、この実際の電位は次にユーザーが所望するオフセット電圧と比較される。実際のオフセット電圧と所望のオフセット電圧との比較には、オーバーラップを制御するため、時間比例、比例／積分／微分（ＰＩＤ），ＰＩ、Ｐ、誤差比例などといったアルゴリズムが用いられる。
【００２０】
反対の極性をもつパルスが、図３に示されているように、オーバーラップされる。図３に示されている例においては、パルスは約３３％だけオーバーラップされており、かくして結果として得られるオフセット電圧は図１に示されている先行技術システムよりも低い。イオン化システムからの電荷（チャージ）の伝達は、チャージプレートモニター２２（図１０）により測定されるオフセット電圧が制限されるように調整され得る。ＣＰＭでのオフセット電圧は基本的にイオン電流の積分である。図３は、反対の極性のパルスのオーバーラッピングが、そのオーバーラップの持続時間についてのゼロ（「０」）積分を結果としてもたらすということを実証している。その結果、オフセット電圧は、そのオーバーラップ中定常に保たれ、エンドユーザーが受容可能とみなすレベルに制限され得る。オフセット電圧を定常状態にかつ受容可能なレベルに保つことで、図１に示されているもののような先行技術システムでは不可能である電荷減衰時間を達成することが可能となる。
【００２１】
前述のように、チャージプレートモニター２２によって測定されるようなさまざまなオフセット電圧が、オーバーラップの百分率（％オーバーラップ）又はオーバーラップの持続時間を変動させることによって達成可能である。第２乃至第４の好ましい実施形態は、第１の好ましい実施形態と比較したオーバーラップ百分率のその他の変形形態を示している。
【００２２】
図４は、本発明の第２の好ましい実施形態に従ったイオン生成対時間対ボルト単位のＣＰＭＶoffsetのグラフである。第２の好ましい実施形態においては、反対の極性のパルスが約４０％だけオーバーラップされ、かくして、第１の好ましい実施形態の場合よりも低いオフセット電圧が結果として得られる。
【００２３】
図５は、本発明の第３の好ましい実施形態に従ったイオン生成対時間対ボルト単位のＣＰＭＶoffsetのグラフである。第３の好ましい実施形態においては、反対の極性のパルスが約５０％だけオーバーラップされ、かくして、第２の好ましい実施形態の場合よりも低いオフセット電圧が結果として得られる。
【００２４】
図６は、本発明の第４の好ましい実施形態に従ったイオン生成対時間対ボルト単位のＣＰＭＶoffsetのグラフである。第４の好ましい実施形態においては、反対の極性のパルスが約６７％だけオーバーラップされ、かくして、第３の好ましい実施形態の場合よりも低いオフセット電圧が結果として得られる。
【００２５】
オフセット電圧制御方法を利用するその他の実施形態も、ここに示される広い発明の範囲から逸脱することなく、時間又は百分率で表現された変動するオーバーラップ量で使用することができる。さらに、各電源の付随する電流振幅が固定されている場合、方形波を結果としてもたらすようにオーバーラップを制御することも可能である。さらに、各振幅が可変的である場合、正弦波、方形波、のこぎり波及びクリップ波のうちの１つを結果としてもたらすようにオーバーラップを制御することも可能である。
【００２６】
図７は、本発明に従ったさまざまなパルス時間についての、チャージプレートモニター２２における電圧揺動対オーバーラップ百分率（％オーバーラップ）を比較したグラフである。ここで示されているように、パルス時間が長くなると（例えば１０秒）、オフセット電圧の揺動を制御するのに必要なオーバーラップの量は対応して大きく又は長くなる。パルス時間が比較的短かい場合（例えば１秒未満）、低いオフセット電圧の揺動を維持するためにいかなるオーバーラップも必要とされないかもしれない。
【００２７】
図８は、５０Ｖの揺動についてのオーバーラップ百分率対イオン電流を比較したグラフである。図示されているように、この場合５０Ｖである特定のオフセット電圧限界を維持するために、イオン電流が増大するにつれて、オンタイムオーバーラップの百分率における対応する増大が発生しなくてはならない。イオン電流とオーバーラップ百分率の増大との間の関係は、線形ではなく、一定の与えられたパルス時間について変動する。
【００２８】
図９は、本発明の好ましい実施形態に従ったデューティーサイクルのタイミング図を含んでいる。本明細書で使用するオーバーラップ百分率（％オーバーラップ）というのは、両方の電源がオンに切換わっている時間（Ｔboth）を１サイクルの合計時間（Ｔtot）と比較した百分率を意味する。ここでは、デューティーサイクルは、波形がゼロでない時間を全期間Ｔで除したものとして定義づけされる。類似の計算によりオーバーラップが発生するオンタイムの百分率を確認することが可能である。ただし、オフセット電圧を減少させるためにオーバーラップ百分率を増大させることは、全サイクル時間Ｔtotを変更することを意図したものでないことから、より重大な情報は全サイクル時間についてのオーバーラップ百分率である。
【００２９】
類似の最終結果（オーバーラップ量）を提供するもう１つの制御アプローチは、約（Ｔboth/２）の期間中他方の極性の電源がオンに切換えられているとき、第１の極性の電源、つまりＰ．ＨＶＰＳ１２又はＮ．ＨＶＰＳ１６のいずれかをオフに切換えない、というものである。問題の第１の極性は、このときＴLOW（ロウ時間）の間オフ状態又はロウ状態に保たれてから、再びオンに切換えられる。このときメモリ内に記憶する必要のある唯一のデータは、ＴLOW及びＴtotであり、その他の値はそこから計算できる。この考慮対象の実施形態においては、デューティーサイクルは、Ｐ．ＨＶＰＳ１２及びＮ．ＨＶＰＳ１６のオーバーラップ百分率により左右される。当然のことながら、本発明の広い発明の範囲から逸脱することなくその他の数学的又は制御論理実行を利用することも可能である。
【００３０】
本パルスモード制御方法を利用することにより、制御プログラムを制御しシステムコントローラＵ１に供給するファームウェアに対しダウンロードするか又はこれを置換えることによって、既存のコントローラベースのイオン化システム１０を更新することができる。当該方法は、個々の電源制御回路内の調整可能性を許容しかくして各出力のオーバーラッピングを提供することにより、コントローラをもたないその他の回路内で使用できると考えられている。
【００３１】
本発明の第５の実施形態においては、両方の電源１２，１６が決して運転停止しない場合でさえパルス効果又は準パルス効果が達成されるように交互に正及び負の設定値をトラッキングできる共通のフィードバックセンサー２０と組合わせて、連続的に、すなわち正及び負の両方のイオンの恒常的な供給を生成する定常状態のＤＣ動作で、Ｐ．ＨＶＰＳ１２及びＮ．ＨＶＰＳ１６の両方をランさせることができる。しかしながら、この場合、イオン化の波形は、交番する正及び負のコンテンツの固定されたバイアスを伴って、両方のイオン化の極性を提供する。例えば、センサー２０が正の設定値をトラッキングしている場合、イオン化は、予め定められたレベルに達するようにさらに多くの正のイオンを提供するべく正にバイアスされ、かくして、正の電源１２は上昇し負の電源１６は下降して正の設定値を達成しようとする。同様にして、センサーが負の設定値をトラッキングしているとき、イオン化は予め設定されたレベルに到達するようにより多くの負のイオンを提供するべく負にバイアスされ、従って、正の電源１２が下降し負の電源１６が上昇して負の設定値を達成しようとする。第５の好ましい実施形態においては、例えば＋５０Ｖ（正の設定値）及び−５０Ｖ（負の設定値）といった、ユーザーが規定した通りの予め定められたレベルを超過しないように、センサー２０の正及び負の設定値が選ばれるか又は較正される。センサー２０は、対応するオフセット電圧を決定するためにイオン電流を測定することもできるし、又プロセス変数として使用するためにオフセット電圧を直接測定するチャージプレートモニター又はバランスセンサーであってもよい。
【００３２】
実際、第５の好ましい実施形態は、サイクル時間に基づいて２つの設定値の間で交番する２重設定値で、２重出力のコントローラである。第１の設定値（例えば正の設定値）は、予め定められた時間について選択され、制御アルゴリズムは、当該技術分野において知られているＰＩＤ、ＰＩ、Ｐ、時間比例、誤差比例などといったような制御技術を用いてセンサー２０を測定する一方で第１の設定値に到達しようと試みる。同様にして、第２の設定値（例えば負の設定値）は、類似の予め定められた時間について選択され、制御アルゴリズムは、類似の制御技術を用いてセンサー２０を測定する一方で第２の設定値に到達しようとする。当然のことながら、本発明から逸脱することなく、その他の制御技術及びアルゴリズムを利用することも可能である。
【００３３】
以上のことから、本発明が、オフセット電圧を制限又は制御するべく正及び負の出力のオーバーラップを用いるパルスモードイオン化システムのためのオフセット電圧制御方法を有して成ることがわかる。当業者であれば、広範なその発明性のあるコンセプトから逸脱することなく上述の実施形態に対し変更を加えることができるということがわかるだろう。従って、本発明は、開示された特定の実施形態に制限されず、本クレームにより規定されているような本発明の思想及び範囲内での修正をカバーすることが意図されている、ということがわかる。
【図面の簡単な説明】
【００３４】
【図１】先行技術のパルスモードイオン化システムでの、イオン生成対時間対制御されたパルスモード電圧オフセットボルト数を示すグラフである。
【図２】オフタイムタイプの先行技術のパルスモードイオン化システムでの、結果としてもたらされる電圧オフセットを実証するグラフ及びタイミング図である。
【図３】本発明の第１の好ましい実施形態に従った、イオン生成対時間対制御されたパルスモード電圧オフセットボルト数を示すグラフである。
【図４】本発明の第２の好ましい実施形態に従った、イオン生成対時間対制御されたパルスモード電圧オフセットボルト数を示すグラフである。
【図５】本発明の第３の好ましい実施形態に従った、イオン生成対時間対制御されたパルスモード電圧オフセットボルト数を示すグラフである。
【図６】本発明の第４の好ましい実施形態に従った、イオン生成対時間対制御されたパルスモード電圧オフセットボルト数を示すグラフである。
【図７】本発明に従ったさまざまなパルス時間についての、チャージプレートモニターにおける電圧揺動対オーバーラップ％を比較したグラフである。
【図８】５０Ｖの揺動についてのオーバーラップ％対イオン電流を比較したグラフである。
【図９】本発明の好ましい実施形態に従った、デューティーサイクルのタイミング図と計算を実証するグラフである。
【図１０】本発明を適用できる一般的な双極性イオン化システムの概略図である。
【符号の説明】
【００３５】
１０…イオン化システム
１２…正の高圧電源
１４…正の電極
１６…負の高圧電源
１８…負の電極
２０…センサー
２２…チャージプレートモニター
Ｕ１…コントローラ
【図１】
2004273418.tif 000003
【図２】
2004273418.tif 000004
【図３】
2004273418.tif 000005
【図４】
2004273418.tif 000006
【図５】
2004273418.tif 000007
【図６】
2004273418.tif 000008
【図７】
2004273418.tif 000009
【図８】
2004273418.tif 000010
【図９】
2004273418.tif 000011
【図１０】
2004273418.tif 000012
【外国語明細書】
2004273418000001.pdf